(57)【要約】【課題】記録再生装置で外部機器の受信装置で受信される放送番組を記録予約する場合において、予約設定を確実にすることができるようにしたリモコン装置を提供する。【解決手段】記録対象の番組の放送メディア用の受信装置に対するリモコンコードと、受信装置が外部入力端子に接続される記録再生装置に対するリモコンコードとを、それぞれの識別子に対応付けてリモコンコード記憶部に記憶する。表示画面に表示された放送メディア用の電子番組表からの記録予約番組の選択入力を受け付けて、その選択された記録予約番組の情報を蓄積する記録予約情報記憶部を備える。選択された記録予約番組を記録するようにするためのリモコンコードをリモコンコード記憶部から読み出して、記録予約番組を受信する受信装置と記録再生装置とに対して送出する。【選択図】図１
2013138279.tif 000002
【特許請求の範囲】
【請求項１】
リモコン信号の発生手段と、
表示画面を備える表示部と、
少なくとも、記録対象の番組の放送メディア用の受信装置に対するリモコンコードと、前記受信装置が外部入力端子に接続される記録再生装置に対するリモコンコードとを、前記受信装置及び前記記録再生装置のそれぞれの識別子に対応付けてリモコンコード記憶部に記憶するリモコンコード記憶手段と、
前記表示画面に表示された前記放送メディア用の電子番組表からの記録予約番組の選択入力を受け付ける記録予約番組選択受付手段と、
前記記録予約番組選択付手段で受け付けられた前記記録予約番組の情報を記録予約情報記憶部に蓄積する記録予約情報記憶手段と、
前記記録予約番組選択付手段で受け付けられた前記記録予約番組を記録するようにするためのリモコンコードを前記リモコンコード記憶部から読み出して、前記記録予約番組を受信する前記受信装置と前記記録再生装置とに対して、送出するように制御するリモコンコード送出制御手段と、
を備えることを特徴とするリモコン装置。
【請求項２】
前記記録予約情報記憶部に蓄積されている前記記録予約番組のリストを前記表示画面に表示するリスト表示手段を備える
ことを特徴とする請求項１に記載のリモコン装置。
【請求項３】
前記リスト表示手段により前記表示画面に表示された前記記録予約番組のリストから選択された前記記録予約番組の再生指示を受け付ける再生指示受付手段を備え、
前記リモコンコード送出制御手段は、前記再生指示受付手段で受け付けられた前記再生指示がなされた前記記録予約番組を再生させるためのリモコン信号を、前記記録再生装置に対して送出する
ことを特徴とする請求項２に記載のリモコン装置。
【請求項４】
前記リモコンコード記憶手段は、視聴用装置のリモコンコードを、前記視聴用装置の識別子に対応付けて記憶しており、
前記リモコンコード送出制御手段は、前記再生指示受付手段で受け付けられた前記再生指示がなされた前記記録予約番組を再生させるためのリモコン信号を、前記記録再生装置に対して送出すると共に、前記視聴用装置に対して、前記記録再生装置からの信号を視聴対象とするように入力制御するリモコン信号を送出する
ことを特徴とする請求項３に記載のリモコン装置。
【請求項５】
前記リモコンコード送出制御手段は、使用者による記録予約実行指示に応じて、前記記録予約番組記憶部に記憶されている記録予約番組のうち、記録予約設定が実行されていない１または複数個の記録予約番組を記録するようにするためのリモコンコードを前記リモコンコード記憶手段から読み出して、前記記録予約番組を受信する前記受信装置と前記記録再生装置とに対して、送出するように制御する
ことを特徴とする請求項１〜４のいずれかに記載のリモコン装置。
【請求項６】
外部装置と接続するための接続手段を備え、
前記外部装置において前記放送メディア用の電子番組表から選択された１または複数個の記録予約番組の情報を、前記接続手段を通じて受け、前記記録予約番組記憶部に格納する手段を備える
ことを特徴とする請求項１〜５のいずれかに記載のリモコン装置。
【請求項７】
前記リモコンコード送出制御手段は、予約機能を備える前記受信装置及び前記記録再生装置に対して、前記記録予約番組についての予約設定のためのリモコンコードを送出する
ことを特徴とする請求項１〜６のいずれかに記載のリモコン装置。
【請求項８】
時刻情報を提供する時計回路部を備え、
前記リモコンコード送出制御手段は、前記時計回路部からの前記時刻情報を監視して、前記記録予約番組の設定された放送日時になったときに、前記受信装置に対して前記記録予約番組を受信して、その受信信号を前記記録再生装置に出力するようにするリモコンコードを送出すると共に、前記記録再生装置に対して前記受信装置からの受信信号を記録するようにするリモコンコードを送出する
ことを特徴とする請求項１〜７のいずれかに記載のリモコン装置。
【請求項９】
前記記録予約番組記憶部に格納されている記録予約番組の情報の消去または修正を、前記記録予約番組の放送前において受け付ける手段を備え、
前記リモコンコード送出制御手段は、前記消去または修正を受け付けた前記記録予約番組についての前記受信装置及び前記記録再生装置に対する予約設定が終了しているときには、前記受信装置及び前記記録再生に対して、前記消去または修正を受け付けた前記記録予約番組の情報の消去または修正をするためのリモコンコードを送出する
ことを特徴とする請求項１〜８に記載のリモコン装置。
【請求項１０】
前記記録予約番組記憶部に格納されている記録予約番組の情報の消去または修正を、前記記録予約番組の放送前において受け付ける手段を備える
ことを特徴とする請求項１〜８に記載のリモコン装置。
【請求項１１】
リモコン信号の発生手段と、
表示画面を備える表示部と、
少なくとも、視聴対象の番組の放送メディア用の受信装置に対するリモコンコードと、前記受信装置が外部入力端子に接続される視聴用装置に対するリモコンコードとを、前記受信装置及び前記視聴用装置のそれぞれの識別子に対応付けてリモコンコード記憶部に記憶するリモコンコード記憶手段と、
前記表示画面に前記放送メディア用の電子番組表からの視聴予約番組の選択入力を受け付ける視聴予約番組選択受付手段と、
前記視聴予約番組選択付手段で受け付けられた前記視聴予約番組の情報を視聴予約情報記憶部に蓄積する視聴予約情報記憶手段と、
前記視聴予約番組選択付手段で受け付けられた前記視聴予約番組を視聴するようにするためのリモコンコードを前記リモコンコード記憶部から読み出して、前記視聴予約番組を受信する前記受信装置と前記視聴用装置とに対して、送出するように制御するリモコンコード送出制御手段と、
を備えることを特徴とするリモコン装置。
【請求項１２】
前記視聴予約情報記憶部に蓄積されている前記視聴予約番組のリストを前記表示画面に表示するリスト表示手段を備える
ことを特徴とする請求項１１に記載のリモコン装置。
【請求項１３】
リモコン信号の発生手段と、表示画面を備える表示部とを備えるリモコン装置が備えるコンピュータを、
少なくとも、記録対象の番組の放送メディア用の受信装置に対するリモコンコードと、前記受信装置が外部入力端子に接続される記録再生装置に対するリモコンコードとを、前記受信装置及び前記記録再生装置のそれぞれの識別子に対応付けてリモコンコード記憶部に記憶するリモコンコード記憶手段、
前記表示画面に表示された前記放送メディア用の電子番組表からの記録予約番組の選択入力を受け付ける記録予約番組選択受付手段、
前記記録予約番組選択付手段で受け付けられた前記記録予約番組の情報を記録予約情報記憶部に蓄積する記録予約情報記憶手段、
前記記録予約番組選択付手段で受け付けられた前記記録予約番組を記録するようにするためのリモコンコードを前記リモコンコード記憶部から読み出して、前記記録予約番組を受信する前記受信装置と前記記録再生装置とに対して、送出するように制御するリモコンコード送出制御手段、
として機能させるためのプログラム。
【請求項１４】
リモコン信号の発生手段と、表示画面を備える表示部とを備えるリモコン装置が備えるコンピュータを、
少なくとも、視聴対象の番組の放送メディア用の受信装置に対するリモコンコードと、前記受信装置が外部入力端子に接続される視聴用装置に対するリモコンコードとを、前記受信装置及び前記視聴用装置のそれぞれの識別子に対応付けてリモコンコード記憶部に記憶するリモコンコード記憶手段、
前記表示画面に表示された前記放送メディア用の電子番組表からの視聴予約番組の選択入力を受け付ける視聴予約番組選択受付手段、
前記視聴予約番組選択付手段で受け付けられた前記視聴予約番組の情報を視聴予約情報記憶部に蓄積する視聴予約情報記憶手段、
前記視聴予約番組選択付手段で受け付けられた前記視聴予約番組を視聴するようにするためのリモコンコードを前記リモコンコード記憶部から読み出して、前記視聴予約番組を受信する前記受信装置と前記視聴用装置とに対して、送出するように制御するリモコンコード送出制御手段、
として機能させるためのプログラム。
【発明の詳細な説明】
【技術分野】
【０００１】
この発明は、記録予約や視聴予約を行うためのリモコン装置及びこのリモコン装置において記録予約や視聴予約をするためのプログラムに関する。
【背景技術】
【０００２】
ハードディスクや大容量のＤＶＤ（Digital  Versatile  Disc）などの大容量の記憶媒体（ストレージ）として用いるハードディスクレコーダやＤＶＤレコーダにより、大量の放送番組の記録及び再生が可能となっている。この種の記録再生装置は、記録予約機能を備え、この記録予約機能を用いることにより、使用者により予め予約設定された放送番組の記録を自動で行うことが可能となっているものが多い。
【０００３】
この場合に、記録再生装置が備えているチューナで受信が可能な放送メディアの放送番組に限らず、記録再生装置とは別装置であって、記録再生装置の外部入力端子のそれぞれに接続されている、例えばＣＡＴＶチューナやＢＳチューナ、ＣＳチューナで受信される放送番組も、予約記録が可能となっている。
【０００４】
この場合の使用者による記録予約設定操作は、記録再生装置が備えているチューナで受信可能な放送メディアの放送番組が記録予約対象であれば、記録再生装置用のリモコン装置（当該装置用のリモコン装置を、以下専用リモコン装置という）のみを用いて、予約記録する放送番組の選択及びその記録予約設定が可能である。
【０００５】
一方、ＣＡＴＶチューナなどの外部機器で受信される放送番組の記録予約設定操作は、記録再生装置の専用リモコンで、記録再生装置に対して、記録予約しようとする放送メディア用の受信機（チューナ）が接続されている外部入力端子からの信号を記録予約設定すると共に、記録予約しようとする放送メディア用の受信機の専用リモコンで、当該受信機に対して記録予約しようとする放送番組の受信予約設定（視聴予約設定となる）をするようにする。
【０００６】
したがって、ＣＡＴＶチューナなどの外部機器で受信される放送番組の記録予約設定操作を行う場合は、記録再生装置の専用リモコンと、外部機器の受信機の専用リモコンとを別々に用いて、記録予約設定の操作をする必要があった。
【０００７】
これに対して、特許文献１（特開平７−１２３４７９号公報）には、各種機器を制御するためのリモコンコードを記憶しておき、各種機器のそれぞれ毎に、例えば赤外線リモコン信号を送出することができるマルチリモコンが開示されている。したがって、このマルチリモコンを用いれば、一つのリモコン装置で、記録再生装置及び外部機器の受信装置へのリモコン信号の送出が可能である。ただし、この場合に、この特許文献１のマルチリモコンでは、ボタン操作によりリモコン信号として送出するリモコンコードを各種機器毎に切り替えたり、リモコン信号を送出しようとする相手機器から機器判別信号を受信して当該相手機器を特定し、リモコン信号として送出するリモコンコードを当該機器のものに切り替えたりすることが必要である。
【０００８】
また、特許文献２（特開２００２−２５２７８９号公報）には、記録予約番組の選択操作を、どこでもできるようにする機能を備えた携帯型端末装置が提案されている。すなわち、この特許文献２の携帯型端末装置は、記録予約したい放送番組を提供する放送メディアの電子番組表（以下、ＥＰＧ（Electronic  Programming  Guide）という）を、通信回線を通じて取得して表示画面に表示する機能と、赤外線リモコン発信機能とを備える。そして、この携帯型端末装置は、表示画面に表示されたＥＰＧから、使用者による記録予約したい放送番組の選択操作を受け付け、選択された放送番組の情報をリモコン信号に変換して、記録再生装置に転送するようにする。これにより、記録再生装置に、記録予約番組の設定がなされる。
【先行技術文献】
【特許文献】
【０００９】
【特許文献１】特開平７−１２３４７９号公報
【特許文献２】特開２００２−２５２７８９号公報
【発明の概要】
【発明が解決しようとする課題】
【００１０】
上述したように、リモコン装置を用いた記録予約設定の従来の方法では、記録再生装置に接続される外部機器の受信装置で受信される放送番組を記録予約する場合には、専用リモコン装置を用いる場合、また、特許文献１のマルチリモコンを用いる場合のいずれにおいても、記録再生装置と、外部機器の受信装置で、別々に独立して、リモコン信号の送出による予約設定をする必要がある。また、特許文献２の携帯型端末装置の場合は、記録予約対象となる外部機器の受信装置で受信される放送番組の選択設定については、ＥＰＧから選択可能で便利であるが、記録再生装置に対する外部入力端子の切り替え設定などは、別個に行う必要がある。
【００１１】
このため、使用者が、記録再生装置に対する記録予約設定と、外部機器の受信装置に対する予約設定（視聴予約設定となる）のいずれかを忘れて、予約記録をしようとしていた放送番組が実際には記録できなかった結果になる恐れがある。
【００１２】
これを回避するためには、記録予約設定の設定内容の確認をすれば良い。この場合に、上述したように、記録再生装置が受信可能な放送メディアの放送番組についての記録予約設定は、専用リモコン装置により、単独で記録予約設定が可能であるので、記録再生装置に記憶されている記録予約設定履歴のみを確認すれば、記録予約設定が確実になされているかどうかが判る。
【００１３】
しかしながら、記録再生装置の外部入力端子に接続されている外部機器の受信装置で選択される放送メディアの放送番組についての記録予約設定は、上述したように、記録再生装置と、外部機器の受信装置とのそれぞれに対して、別々に独立して、リモコン信号による設定操作がなされる。このため、例えば、記録再生装置に対する記録予約設定がなされていることが確認できても、外部機器の受信装置に対する予約設定（視聴予約設定）がなされていない場合があり、その場合には、その記録予約設定に対応する記録が実行されないことになる。
【００１４】
したがって、従来の記録予約設定においては、記録再生装置の外部入力端子に接続されている外部機器の受信装置で選択される放送メディアの放送番組についての記録予約設定については、記録再生装置の記憶されている記録予約設定履歴のみではなく、外部機器の受信装置に記憶されている記録予約設定履歴をも確認する必要があり、厄介である。
【００１５】
上述の課題は、例えばテレビ受信機などの視聴用装置の外部入力端子に、ＣＡＴＶチューナなどの外部機器の受信装置が接続されている場合において、視聴予約設定をする場合も同様となる。すなわち、その視聴予約設定においては、外部機器の受信装置に対しては放送番組の予約設定をし、視聴用装置に対しては、外部入力端子の切り替え設定をする必要がある。
【００１６】
この発明は、以上の点に鑑み、記録再生装置で、外部機器の受信装置で受信される放送番組を記録予約する場合、また、視聴用装置で、外部機器の受信装置で受信される放送番組を視聴予約する場合においても、確実に記録予約、または、視聴予約をすることができるようにしたリモコン装置を提供することを目的とする。
【課題を解決するための手段】
【００１７】
上記の課題を解決するために、請求項１の発明は、
リモコン信号の発生手段と、
表示画面を備える表示部と、
少なくとも、記録対象の番組の放送メディア用の受信装置に対するリモコンコードと、前記受信装置が外部入力端子に接続される記録再生装置に対するリモコンコードとを、前記受信装置及び前記記録再生装置のそれぞれの識別子に対応付けてリモコンコード記憶部に記憶するリモコンコード記憶手段と、
前記表示画面に表示された前記放送メディア用の電子番組表からの記録予約番組の選択入力を受け付ける記録予約番組選択受付手段と、
前記記録予約番組選択付手段で受け付けられた前記記録予約番組の情報を記録予約情報記憶部に蓄積する記録予約情報記憶手段と、
前記記録予約情報記憶部に蓄積された前記記録予約番組を記録するようにするためのリモコンコードを前記リモコンコード記憶部から読み出して、前記記録予約番組を受信する前記受信装置と前記記録再生装置とに対して、送出するように制御するリモコンコード送出制御手段と
を備えることを特徴とするリモコン装置を提供する。
【００１８】
上記の構成の請求項１のリモコン装置においては、使用者が、表示画面に表示された放送メディア用の電子番組表からの記録予約番組の選択入力操作をすると、記録予約番組選択受付手段により、その選択入力を受け付け、記録予約情報記憶手段により、その受け付けた記録予約番組の情報を記録予約情報記憶部に蓄積する。
【００１９】
また、リモコン装置は、記録予約番組選択受付手段で受け付けられた記録予約番組を記録するようにするためのリモコンコードをリモコンコード記憶部から読み出して、記録予約番組を受信する受信装置と、予約記録を実行する記録再生装置とに対して送出する。これにより、受信装置及び記録再生装置に対して記録予約設定がなされる。
【００２０】
以上のようにして、この発明によれば、リモコン装置の表示画面を通じて、記録予約番組の選択操作をするだけで、記録再生装置及び受信装置に対するリモコン信号の送出による記録予約設定ができる。
【００２１】
また、請求項１１の発明は、
リモコン信号の発生手段と、
表示画面を備える表示部と、
少なくとも、視聴対象の番組の放送メディア用の受信装置に対するリモコンコードと、前記受信装置が外部入力端子に接続される視聴用装置に対するリモコンコードとを、前記受信装置及び前記視聴用装置のそれぞれの識別子に対応付けてリモコンコード記憶部に記憶するリモコンコード記憶手段と、
前記表示画面に表示された前記放送メディア用の電子番組表からの視聴予約番組の選択入力を受け付ける視聴予約番組選択受付手段と、
前記視聴予約番組選択付手段で受け付けられた前記視聴予約番組の情報を視聴予約情報記憶部に蓄積する視聴予約情報記憶手段と、
前記視聴予約番組選択付手段で受け付けられた前記視聴予約番組を視聴するようにするためのリモコンコードを前記リモコンコード記憶部から読み出して、前記視聴予約番組を受信する前記受信装置と前記視聴用装置とに対して、送出するように制御するリモコンコード送出制御手段と
を備えることを特徴とするリモコン装置を提供する。
【００２２】
上記の構成の請求項１１のリモコン装置においては、使用者が、表示画面に表示された放送メディア用の電子番組表からの視聴予約番組の選択入力操作をすると、視聴予約番組選択受付手段により、その選択入力を受け付け、視聴予約情報記憶手段により、その受け付けた視聴予約番組の情報を視聴予約情報記憶部に蓄積する。
【００２３】
また、リモコン装置は、視聴予約番組選択受付手段で受け付けられた視聴予約番組を視聴するようにするためのリモコンコードをリモコンコード記憶部から読み出して、視聴予約番組を受信する受信装置と、予約視聴を実行する視聴用装置とに対して送出する。これにより、受信装置及び視聴用装置に対して視聴予約設定がなされる。
【００２４】
以上のようにして、この発明によれば、リモコン装置の表示画面を通じて、視聴予約番組の選択操作をするだけで、視聴用装置及び受信装置に対するリモコン信号の送出による視聴予約設定ができる。
【発明の効果】
【００２５】
この発明によれば、リモコン装置の表示画面を通じて、記録予約番組または視聴予約番組の選択操作をするだけで、記録再生装置または視聴用装置及び受信装置に対するリモコン信号の送出による記録予約設定または視聴予約設定ができる。
【図面の簡単な説明】
【００２６】
【図１】この発明によるリモコン装置の実施形態を搭載する電子機器を含むシステムの構成例を示す図である。
【図２】この発明によるリモコン装置の実施形態を搭載する電子機器の例としての携帯電話端末の一例のハードウエア構成例を示すブロック図である。
【図３】この発明によるリモコン装置の実施形態における記録予約情報記憶部の記憶内容の例を説明するための図である。
【図４】この発明によるリモコン装置の実施形態を説明するために用いる図である。
【図５】この発明によるリモコン装置の第１の実施形態の要部の動作例を説明するためのフローチャートを示す図である。
【図６】この発明によるリモコン装置の第１の実施形態の要部の動作例を説明するための機能ブロック図である。
【図７】この発明によるリモコン装置の第１の実施形態の要部の動作例を説明するためのフローチャートを示す図である。
【図８】この発明によるリモコン装置の第１の実施形態の要部の動作例を説明するためのフローチャートの一部を示す図である。
【図９】この発明によるリモコン装置の第１の実施形態の要部の動作例を説明するためのフローチャートの一部を示す図である。
【図１０】この発明によるリモコン装置の第１の実施形態の要部の動作例を説明するためのフローチャートの一部を示す図である。
【図１１】この発明によるリモコン装置の第１の実施形態の要部の動作例を説明するためのフローチャートの一部を示す図である。
【図１２】この発明によるリモコン装置の第１の実施形態の要部の動作例を説明するためのフローチャートの一部を示す図である。
【図１３】この発明によるリモコン装置の第１の実施形態の要部の動作例を説明するためのフローチャートの一部を示す図である。
【図１４】この発明によるリモコン装置の第１の実施形態の要部の動作例を説明するためのフローチャートを示す図である。
【図１５】この発明によるリモコン装置の第２の実施形態の要部の動作例を説明するためのフローチャートの一部を示す図である。
【図１６】この発明によるリモコン装置の第２の実施形態の要部の動作例を説明するためのフローチャートの一部を示す図である。
【発明を実施するための形態】
【００２７】
［第１の実施形態］
図１に、この発明によるリモコン装置の実施形態の構成の理解を容易にするために、この発明によるリモコン装置の実施形態を適用した電子機器によって記録予約機能が実現される仕組みを説明するためのシステム構成図を示す。
【００２８】
図１に示す例においては、この発明によるリモコン装置の実施形態は、携帯電話端末１及びタブレットＰＣ（ＰＣはパーソナルコンピュータ）２に適用され、その一部機能として搭載されている。
【００２９】
すなわち、図１では図示を省略するが、携帯電話端末１及びタブレットＰＣ２は、この例では、リモコン信号送信機、複数の電子装置用のリモコンコードを格納するリモコンコード記憶部、記録予約番組の情報を記憶する記録予約情報記憶部、視聴予約情報記憶部、その他、リモコン装置の記録予約機能及び視聴予約機能、それに付随する機能を実現するためのソフトウエア機能部を備えている。ソフトウエア機能部は、リモコン装置用のアプリケーションプログラムにより実現される。
【００３０】
図１に示すように、携帯電話端末１及びタブレットＰＣは、携帯電話網及びインターネットを含む通信ネットワーク３に接続される。この通信ネットワーク３には、リモコンコードのダウンロードサイト４や、ＥＰＧのダウンロードサイト５が接続されている。リモコンコードのダウンロードサイト４は、種々の製造会社の各種の電子機器のリモコンコードを、ダウンロード要求してきたクライアント端末に対してダウンロードする機能を備えている。また、ＥＰＧのダウンロードサイト５は、各種放送メディアのＥＰＧデータを、常に最新のものに更新しながら、ダウンロード要求してきたクライアント端末に対してダウンロードする機能を備えている。
【００３１】
この例の携帯電話端末１及びタブレットＰＣ２は、予め、リモコンコードのダウンロードサイト４にアクセスして、記録予約機能及び視聴予約機能、それに付随する機能を遂行するために必要な各種の電子機器用のリモコンコードをダウンロードして取得し、取得した各種の電子機器用のリモコンコードのそれぞれを、電子機器のそれぞれの識別子と対応付けて、リモコンコード記憶部に格納しておくようにする。
【００３２】
図１の例では、携帯電話端末１及びタブレットＰＣ２のリモコン装置の機能部によるリモコン制御対象は、記録再生装置１１と、テレビ受信機（以下、ＴＶと略称する）１２と、ＢＳ（Broadcasting  Satellite）チューナ１３と、ＣＳ(Communication  Satellite)チューナ１４と、ＣＡＴＶ（Cable  Television）チューナ１５とされている。
【００３３】
この例の場合、記録再生装置１１は、例えば地上波デジタル放送の受信部は備えるが、その他の放送メディアの放送番組は受信できないものとされている。ＴＶ１２も、この例では、地上波デジタル放送の受信部は備えるが、その他の放送メディアの放送番組は受信できないものとされている。
【００３４】
そして、記録再生装置１１は、ライン入力端子Ｌ１、ライン入力端子Ｌ２、ライン入力端子Ｌ３の３個の外部入力端子を有し、それらのライン入力端子Ｌ１、ライン入力端子Ｌ２、ライン入力端子Ｌ３に、ＢＳチューナ１３、ＣＳチューナ１４、ＣＡＴＶチューナ１５の映像及び音声信号の出力端子が接続されている。そして、この例では、記録再生装置１１は、大容量のハードディスクを記録媒体として放送番組の記録を行う。
【００３５】
また、この例のＴＶ１２は、４個の外部入力端子ＩＮ１，ＩＮ２，ＩＮ３，ＩＮ４を備え、これらの外部入力端子ＩＮ１，ＩＮ２，ＩＮ３，ＩＮ４のそれぞれに、記録再生装置１１、ＢＳチューナ１３、ＣＳチューナ１４、ＣＡＴＶチューナ１５の映像及び音声信号の出力端子が接続されている。
【００３６】
なお、これら記録再生装置１１、ＴＶ１２、ＢＳチューナ１３、ＣＳチューナ１４、ＣＡＴＶチューナ１５は、同一の製造会社製の電子機器である必要はなく、この例では、それぞれが異なる製造会社製の電子機器とされている。すなわち、この例では、複数の製造会社の仕様の異なる機器を組み合わせたシステム構成とすることができる。
【００３７】
そして、この例では、記録再生装置１１は、記録予約機能を備えており、また、ＴＶ１２、ＢＳチューナ１３、ＣＳチューナ１４、ＣＡＴＶチューナ１５は、視聴予約機能を備えている。また、記録再生装置１１は、記録した番組を設定された時間で再生する予約再生機能を備えており、これにより、この実施形態では、視聴予約の対象番組として、記録再生装置１１での記録番組も含まれるものとしている。
【００３８】
使用者は、携帯電話端末１及びタブレットＰＣ２を用いて、リモコンコードのダウンロードサイト４にアクセスし、記録再生装置１１、ＴＶ１２、ＢＳチューナ１３、ＣＳチューナ１４、ＣＡＴＶチューナ１５のそれぞれの製造会社及び型番などを指定して、それら各電子機器用のリモコンコードのダウンロード要求をすることで、それらの各電子機器のリモコンコードを取得する。取得された各電子機器のリモコンコードは、携帯電話端末１及びタブレットＰＣ２のリモコンコード記憶部に、それら各電子機器の識別子に対応付けられて記憶される。
【００３９】
また、この実施形態の携帯電話端末１及びタブレットＰＣ２は、適宜のタイミングで、ＥＰＧのダウンロードサイト５にアクセスして、記録予約または視聴予約する放送番組を提供する放送メディアのＥＰＧデータを取得して、表示画面にＥＰＧを表示するようにする。ここで、ＥＰＧデータの適宜の取得タイミングは、使用者により放送メディアが指定されてＥＰＧの取得要求がなされたタイミングであっても良いし、予め、放送番組改編タイミングに合わせて定めたタイミングであってもよい。ＥＰＧデータは、ＥＰＧデータ記憶部に一時記憶される。
【００４０】
使用者は、携帯電話端末１及びタブレットＰＣ２の表示画面に表示されたＥＰＧから、記録予約番組または視聴予約番組を選択指定することができる。この場合に、使用者は、連続して複数の記録予約番組または視聴予約番組の選択指定をすることができる。連続して選択指定する複数の記録予約番組または視聴予約番組は、異なる放送メディアに跨っていても良く、その場合には、表示画面に表示されるＥＰＧは、対応する放送メディアのものに変更されることは言うまでもない。
【００４１】
そして、携帯電話端末１及びタブレットＰＣ２は、使用者により選択指定された１または複数個の記録予約番組または視聴予約番組の情報を、記録予約情報記憶部または視聴予約情報記憶部に記憶する。このときには、記録予約番組または視聴予約番組は、未だ、記録再生装置１１やチューナ１３〜１５、ＴＶ１２には予約設定がなされていないので、記録予約情報記憶部または視聴予約情報記憶部の記録予約番組または視聴予約番組についての予約設定状況情報は、未了とされる。
【００４２】
そして、携帯電話端末１及びタブレットＰＣ２は、使用者による記録予約番組設定または視聴予約番組設定の実行指示を受け付けると、記録予約情報記憶部または視聴予約情報記憶部に記憶されている記録予約番組または視聴予約番組のうちで、予約設定状況情報が未了である記録予約番組または視聴予約番組についての予約設定を順次に実行する。
【００４３】
先ず記録予約設定に関して説明すると、携帯電話端末１及びタブレットＰＣ２は、予約設定状況情報が未了である記録予約番組のそれぞれについて、リモコンコード記憶部に記憶しているリモコンコードを用いて、その記録予約番組の放送メディア用のチューナに対する予約設定用のリモコン信号を生成すると共に、記録再生装置１１に対する記録予約設定用のリモコン信号を生成し、それらのリモコン信号を一連のリモコン信号として送出する。この場合の記録再生装置１１の記録予約設定には、予約日時に、記録予約番組の放送メディアのチューナからの映像及び音声信号を入力選択するように入力切り替え信号を含む。これにより、記録予約番組毎に、記録予約番組の放送メディア用のチューナと、記録再生装置１１に対して、記録予約番組の設定が自動的になされる。
【００４４】
携帯電話端末１及びタブレットＰＣ２は、上記の記録予約番組の記録予約設定のリモコン信号の送出処理が終了すると、この実施形態では、後述するような確認処理を行った後、記録予約情報記憶部の、当該設定が終了した記録予約番組の予約設定状況情報を設定済に変更する。
【００４５】
携帯電話端末１及びタブレットＰＣ２は、一つの記録予約番組についての記録予約設定が終了すると、予約設定状況が未了の次の記録予約番組ついての記録予約設定を実行し、記録予約情報記憶部において予約設定状況が未了である全ての記録予約番組について、記録予約設定を実行する。
【００４６】
視聴予約設定に関しても、上述した記録予約設定と同様に、携帯電話端末１及びタブレットＰＣ２は、予約設定状況情報が未了である視聴予約番組のそれぞれについて、リモコンコード記憶部に記憶しているリモコンコードを用いて、その視聴予約番組の放送メディア用のチューナに対する予約設定用のリモコン信号を生成すると共に、ＴＶ１２に対する視聴予約設定用のリモコン信号を生成し、それらのリモコン信号を一連のリモコン信号として送出する。この場合のＴＶ１２の視聴予約設定には、予約日時に、視聴予約番組の放送メディアのチューナからの映像及び音声信号を入力選択するように入力切り替え信号を含む。
【００４７】
これにより、視聴予約番組毎に、視聴予約番組の放送メディア用のチューナと、ＴＶ１２に対して、視聴予約番組の設定が自動的になされる。そして、記録予約番組設定の場合と同様に、予約設定の終了した視聴予約番組については、視聴予約情報記憶部の予約状況設定情報が設定済みに変更される。
【００４８】
そして、この実施形態では、携帯電話端末１及びタブレットＰＣ２は、使用者の要求により、記録予約情報記憶部または視聴予約情報記憶部に格納されている記録予約番組または視聴予約番組の一覧リストを表示画面に表示する。この表示画面に表示される記録予約番組または視聴予約番組の一覧リストにおいては、記録予約番組または視聴予約番組がＥＰＧから選択されることから、ＥＰＧに含まれる当該番組のタイトルや関連情報が含められて表示される。これにより、使用者は、記録予約番組または視聴予約番組が希望したものかどうかを容易に確認することができる。
【００４９】
また、この表示画面に表示される記録予約番組または視聴予約番組の一覧リストには、前述した予約設定状況情報として、設定未了および設定済が、各記録予約番組または各視聴予約番組に対応して記録されている。使用者は、この一覧リストの各記録予約番組または各視聴予約番組の予約設定状況の情報から、各記録予約番組または各視聴予約番組の予約設定が未了か、あるいは設定済かを確認することができる。
【００５０】
そして、この実施形態では、上述したように、記録予約番組のそれぞれ毎に、記録再生装置及びチューナの両方に対して、一連のリモコン信号により記録予約設定がなされるので、記録予約番組についての設定済は、記録再生装置１１と、外部機器としてのチューナ１３，１４，１５のいずれかに対する予約設定が完了していることを意味している。したがって、使用者は、携帯電話端末１及びタブレットＰＣ２の表示画面の記録予約番組の一覧リストにおける予約設定状況情報が設定済を確認するだけで、記録再生装置１１と、チューナ１３，１４，１５のいずれかに対する記録予約設定処理が完了していることを確認することができる。
【００５１】
また、同様に、視聴予約番組についての設定済は、ＴＶ１２と、外部機器としての記録再生装置１１、チューナ１３，１４，１５のいずれかに対する予約設定が完了していることを意味している。したがって、使用者は、携帯電話端末１及びタブレットＰＣ２の表示画面の視聴予約番組の一覧リストにおける予約設定状況情報が設定済を確認するだけで、ＴＶ１２と、記録再生装置１１、チューナ１３，１４，１５のいずれかに対する視聴予約設定処理が完了していることを確認することができる。
【００５２】
なお、この実施形態では、使用者は、この一覧リストの記録予約番組または視聴予約番組のうちの、記録再生装置１１及びチューナ１３，１４，１５のいずれかまたはＴＶ１２及び記録再生装置１１、チューナ１３，１４，１５のいずれかによって、その記録処理または視聴が実行されていないものについては、その消去及び変更ができるように構成されている。この実施形態では、この消去及び変更を受け付けると、携帯電話端末１及びタブレットＰＣ２のリモコン装置の機能部は、当該消去及び変更を、記録再生装置１１及びチューナ１３，１４，１５のいずれかまたはＴＶ１２及び記録再生装置１１、チューナ１３，１４，１５のいずれかに反映させるようにするためのリモコン信号を生成して、それぞれに送信するようにする。
【００５３】
上記のようにして記録予約設定がなされた後、予約された日時になると、チューナ１３、１４、１５のそれぞれは、その予約受信機能を実行して、記録予約番組を選択受信して記録再生装置１１に供給し、記録再生装置１１は、その予約記録機能を実行して、その記録予約番組の記録を実行する。また、同様に、視聴予約設定がなされた後、予約された日時になると、記録再生装置１１、チューナ１３、１４、１５のいずれかのそれぞれは、視聴予約番組をＴＶ１２に供給し、ＴＶ１２は、その視聴予約番組を表示画面に表示する処理を実行する。
【００５４】
また、この実施形態では、携帯電話端末１またはタブレットＰＣ２は、記録予約情報記憶部に記憶されている記録予約番組の情報を用いて、予約記録が実行された記録予約番組の再生指示を行うことができるように構成されている。
【００５５】
すなわち、携帯電話端末１またはタブレットＰＣ２において、使用者が記録予約番組の再生を操作指示入力すると、携帯電話端末１またはタブレットＰＣ２は、記録予約情報記憶部に記憶されている記録予約番組のうち、予約された日時が経過している記録予約番組からなる再生可能記録番組の一覧を表示する。このとき、この一覧に表示される各再生可能記録番組の情報は、前述した記録予約番組の情報であるので、ＥＰＧから取得された番組タイトルや関連情報が含まれて表示されており、その番組内容を一瞥するだけで把握可能である。
【００５６】
使用者が、この再生可能記録番組の一覧から、再生したい記録番組を指定すると、携帯電話端末１またはタブレットＰＣ２は、当該指定された記録番組を、記録再生装置１１で再生させるようにするためのリモコン信号を生成し、送出する。このとき、携帯電話端末１またはタブレットＰＣ２は、ＴＶ１２に対して、記録再生装置１１からの映像及び音声信号を表示画面に表示するように入力切替するリモコン信号を生成して、ＴＶ１２に供給するようにする。
【００５７】
これにより、使用者により指定された記録番組が記録再生装置１１で再生され、ＴＶ１２の表示画面に表示されて、再生視聴が可能となる。
【００５８】
ところで、記録再生装置１１は、一般的に、記録した番組の情報(記録番組情報)を記憶している。そこで、この記録再生装置１１の記録番組情報を用いて、再生指示することも可能となる。しかし、この記録再生装置１１の記録番組情報においては、外部機器のチューナ１３，１４，１５から提供される番組の場合には、ＥＰＧから取得された番組タイトルや関連情報を記憶することはできず、記録再生装置１１は、それらのチューナ１３，１４，１５が接続されている外部入力端子Ｌ１，Ｌ２，Ｌ３のいずれかを記憶することになる。このため、記録再生装置１１の記録番組情報の表示情報においては、外部機器からの信号の記録番組の場合には、当該外部機器が接続されている外部入力端子Ｌ１，Ｌ２，Ｌ３のいずれかが表示されるだけである。したがって、記録再生装置１１の記録番組情報においては、記録番組がチューナ１３，１４，１５から提供された番組の場合には、その記録された番組内容を把握することできず、不便である。
【００５９】
これに対して、携帯電話端末１の表示画面に表示される予約番組の一覧リストにおいては、記録予約番組または視聴予約番組がＥＰＧから選択されることから、ＥＰＧに含まれる当該番組のタイトルや関連情報が含められて表示されるので、使用者は、番組内容を容易に類推確認することができる。
【００６０】
なお、記録再生装置１１に記憶される記録予約番組の情報についても、外部機器のチューナ１３，１４，１５から提供される番組の場合には、ＥＰＧから取得された番組タイトルや関連情報を記憶することはできず、それらのチューナ１３，１４，１５が接続されている外部入力端子Ｌ１，Ｌ２，Ｌ３のいずれかを記憶することにより、いずれの外部入力端子からの映像及び音声信号であることが示されるだけである。したがって、記録再生装置１１に記憶される記録予約番組の情報を用いて、記録予約番組の確認を行う場合には、外部機器のチューナ１３，１４，１５から提供される番組の場合には、その番組内容を確認することができず、上述したリモコン装置の実施形態の効果は得られない。
【００６１】
同様に、ＴＶ１２では、視聴予約番組の情報を記憶するが、外部機器のチューナ１３，１４，１５から提供される番組の場合には、ＥＰＧから取得された番組タイトルや関連情報を記憶することはできず、それらのチューナ１３，１４，１５が接続されている外部入力端子が示されるだけである。したがって、ＴＶ１２に記憶される視聴予約番組の情報を用いて、視聴予約番組の確認を行う場合には、外部機器のチューナ１３，１４，１５から提供される番組の場合には、その番組内容を確認することができず、上述したリモコン装置の実施形態の効果は得られない。
【００６２】
また、記録再生装置１１の記録番組情報を用いて再生指示した場合には、ＴＶ１２における入力切り替え操作も、使用者が行わなければならず、上述の携帯電話端末１またはタブレットＰＣ２からのリモコン信号を用いた再生指示に比べて、操作が厄介となる。
【００６３】
次に、以上説明したこの発明によるリモコン装置の実施形態の詳細について、携帯電話端末１の場合を例にとって、以下に説明する。なお、タブレットＰＣに適用した場合も、リモコン装置の実施形態部分については、全く同様の構成及び動作をするものである。
【００６４】
[リモコン装置の実施形態が適用された携帯電話端末１のハードウエア構成例]
図２は、この発明によるリモコン装置の実施形態をリモコン装置機能部として備える携帯電話端末１のハードウエア構成例を示すブロック図である。この例の携帯電話端末１は、いわゆるスマートフォンと呼ばれる端末の構成を備える場合である。
【００６５】
すなわち、図２に示すように、この例の携帯電話端末１は、マイクロコンピュータで構成される制御部１０１が、システムバス１００を通じて、無線通信回路部１０２、送受信情報処理部１０３、通話回路部１０４、ディスプレイインターフェース１０５、タッチパネルインターフェース１０６、メモリ１０７、リモコン信号生成部１０８、リモコン信号送信部１０９、時計回路部１１０、のそれぞれと接続されている。
【００６６】
制御部１０１は、携帯電話端末１の電話機能やその他の各種制御処理を制御するためのものである。この例では、制御部１０１は、メモリ１０８に格納されるアプリケーションプログラムを実行して、後述するリモコン装置の実施形態の処理機能などの種々のアプリケーション処理を実行制御するようにする。
【００６７】
無線通信回路部１０２は、携帯電話網の基地局を通じて通信ネットワーク３に接続するためのものである。送受信情報処理部１０３は、無線通信回路部１０２を通じて受信される情報を解析し、制御部１０１の制御にしたがって、システムバス１００を通じて必要な各部に転送すると共に、通信ネットワーク３に送出する送信情報を生成し、無線通信回路部１０２に転送する。
【００６８】
通話回路部１０４は、電話音声の処理であり、受話器を構成するスピーカ１１１と送話器を構成するマイクロホン１１２が接続されている。
【００６９】
ディスプレイインターフェース１０５には、例えばＬＣＤ（Liquid  Crystal  Display）からなるディスプレイ１１３が接続される。ディスプレイ１１３の表示画面上にはタッチパネル１１４が設けられており、このタッチパネル１１４は、タッチパネルインターフェース１０６に接続されている。
【００７０】
この実施形態では、操作ボタンなどの操作入力は、このタッチパネル１１４を通じて行えるようにされており、ディスプレイ１１３の表示画面には、制御部１０１の制御にしたがって、文字入力キー操作画面や設定受付画面などが表示される。使用者は、このタッチパネル１１４に対して、指でタッチ操作したり、指でスライドさせたりする所定の振る舞いをすることにより、所定の操作入力をすることができる。
【００７１】
タッチパネルインターフェース１０６は、タッチパネル１１４を通じた使用者による操作指示入力に応じた操作検出信号を、システムバス１００を通じて制御部１０１に送出する。制御部１０１は、タッチパネルインターフェース１０６から受けた操作検出信号から、使用者により、どのような操作入力がされたかを検出し、その検出結果に応じた制御処理を行う。
【００７２】
メモリ１０７は、携帯電話端末１で用いられる種々のデータの格納部であり、この実施形態では、実施形態のリモコン装置の機能を実現するためのアプリケーションプログラムなどの記憶エリアであるプログラム記憶部１０７１を備えると共に、各種リモコンコード記憶部１０７２、記録予約情報記憶部１０７３、視聴予約情報記憶部１０７４、ＥＰＧ情報記憶部１０７５、機器接続関係記憶部１０７６のそれぞれを備える。
【００７３】
各種リモコンコード記憶部１０７２には、前述したように、通信ネットワーク３を通じて、リモコンコードのダウンロードサイト４から取得した、記録再生装置１１、ＴＶ１２、チューナ１３，１４，１５のそれぞれについてのリモコンコードが、それぞれの識別子に対応付けられて記憶されている。
【００７４】
記録予約番組記憶部１０７３には、前述したように、使用者によりＥＰＧから選択された記録予約番組の情報が記憶される。また、視聴予約番組記憶部１０７４には、前述したように、使用者によりＥＰＧから選択された視聴予約番組の情報が記憶される。
【００７５】
図３に、この例における記録予約情報記憶部１０７３の記憶内容（記録予約情報）の一例を示す。すなわち、図３の例においては、記録予約情報記憶部１０７３には、記録予約番組の記録が実行される放送開始時刻及び放送終了時刻を含む日時情報（予約日時情報）と、記録予約番組を放送する放送メディアの情報、例えば記録予約番組のタイトルや放送チャンネルの情報などを含む記録番組情報と、毎日記録や毎週記録などの繰り返し情報と、予約設定状況情報などからなる。
【００７６】
なお、この記録予約情報記憶部１０７３の記憶内容は、基本的にはＥＰＧからの記録予約番組の選択に基づいて書き込まれるが、毎日、毎週などの繰り返し設定は、使用者による別途の指定に基づいて書き込まれる。また、予約設定状況情報は、前述したように、携帯電話端末１の制御部１０１により書き込まれる。
【００７７】
視聴予約情報記憶部１０７４の記憶内容は、この記録予約情報記憶部１０７３の記憶内容とほぼ同じであるので、ここでは、その記憶内容については、図示を省略する。
【００７８】
ＥＰＧ情報記憶部１０７５には、使用者により指定された放送メディア用のＥＰＧデータが、ＥＰＧのダウンロードサイト５からダウンロードされて記憶される。ディスプレイ１１２の表示画面には、このＥＰＧ情報記憶部１０７５に記憶されているＥＰＧデータに基づくＥＰＧ画像が表示される。
【００７９】
機器接続関係記憶部１０７６には、記録再生装置１１の３個のライン入力端子Ｌ１，Ｌ２，Ｌ３に接続されている機器の情報と、ＴＶ１２の４個の外部入力端子ＩＮ１，ＩＮ２，ＩＮ３，ＩＮ４に接続されている機器の情報が記憶されている。この機器接続関係記憶部１０７６の情報は、この例では、使用者により、予め、登録されて記憶される。
【００８０】
図４（Ａ）は、機器接続関係記憶部１０７６の記憶情報のうち、記録再生装置１１の３個のライン入力端子Ｌ１，Ｌ２，Ｌ３に接続されている機器の情報の一例を示すもので、この例では、ライン入力端子Ｌ１にはＢＳチューナ１３が、ライン入力端子Ｌ２にはＣＳチューナ１４が、ライン入力端子Ｌ３にはＣＡＴＶチューナ１５が、それぞれ接続されていることが記憶されている。
【００８１】
また、図４（Ｂ）は、機器接続関係記憶部１０７６の記憶情報のうち、ＴＶ１２の４個の外部入力端子ＩＮ１，ＩＮ２，ＩＮ３，ＩＮ４に接続されている機器の情報の一例を示すもので、この例では、外部入力端子ＩＮ１には記録再生装置１１が、外部入力端子ＩＮ２にはＢＳチューナ１３が、外部入力端子ＩＮ３にはＣＳチューナ１４が、外部入力端子ＩＮ４にはＣＡＴＶチューナ１５が、それぞれ接続されていることが記憶されている。
【００８２】
リモコン信号生成部１０８は、メモリ１０７の各種リモコンコード記憶部１０７２、記録予約情報記憶部１０７３、視聴予約情報記憶部１０７４、機器接続関係記憶部１０７６に記憶されている情報を用いて、記録予約番組や視聴予約番組の予約設定を対象機器に対して行うためのリモコン信号を生成する。
【００８３】
この記録予約番組や視聴予約番組の予約設定を対象機器に対して行うためのリモコン信号は、予約時間の設定、放送チャンネルの設定、ライン入力端子の切り替え設定、外部入力端子の切り替え設定、繰り返しの設定（繰り返し設定可能な機器のみ）、などの種々の設定を行うためのリモコン信号の集合である。また、このリモコン信号は、記録予約設定の場合には、記録予約番組のそれぞれ毎に、記録再生装置１１とチューナ１３，１４，１５のいずれかとの組に対するリモコン信号の集合であり、視聴予約設定の場合には、視聴予約番組のそれぞれ毎に、ＴＶ１２と、記録再生装置１１、チューナ１３，１４，１５のいずれかとの組に対するリモコン信号の集合である。
【００８４】
なお、リモコン信号生成部１０８は、使用者のリモコン制御対象機器の指定を受けて、当該指定された記録再生装置１１、ＴＶ１２、チューナ１３，１４，１５のそれぞれを単独でリモコン制御するためのリモコン信号を、各種リモコンコード記憶部１０７２に記憶されているリモコンコードを用いて生成する機能も勿論備える。
【００８５】
なお、リモコン信号生成部１０８は、メモリ１０７のプログラム記憶部１０７１に記憶されているリモコン装置機能を実施するためのプログラムによるソフトウエア機能部として構成されるもので、ここでは、説明を分かりやすくするために、機能ブロックの構成として示した。
【００８６】
リモコン信号送信機１０９は、この例では、リモコン信号生成部１０８で生成されたリモコン信号を、赤外線のリモコン信号に変換して送出する。
【００８７】
時計回路部１１０は、カレンダ機能を備える日時情報の発生部である。この実施形態では、制御部１０１は、この時計回路部１１０からの日時情報を参照して、記録予約番組または視聴予約番組の予約日時が経過しているか否かを判断する。そして、制御部１０１は、記録予約番組または視聴予約番組の予約日時が経過していないときには、その消去や変更を受け付けるようにする。また、制御部１０１は、記録予約番組または視聴予約番組の予約日時が経過したと判別したときには、当該予約記録や予約視聴が実行されたと判断して、記録予約番組は、再生対象番組とし、また、視聴予約番組は、視聴予約情報記憶部１０７４から消去するなどの処理を行う。
【００８８】
［実施形態の携帯電話端末１のリモコン装置機能部の動作］
以上説明した実施形態の携帯電話端末１のリモコン装置機能部の動作例を、以下に説明する。
【００８９】
図５は、この実施形態の携帯電話端末１の処理動作の全体の流れの一例を示すフローチャートである。以下に説明するように、フローチャートの各ステップの処理動作は、制御部１０１がメモリ１０７のプログラム記憶部１０７１に記憶されているプログラムを実行することにより実行されるものである。
【００９０】
この実施形態の携帯電話端末１においては、電源が投入されているときには、起動可能な種々のアプリケーション機能の一覧メニューが、ディスプレイ１１３の表示画面に表示されている（ステップＳ１）。制御部１０１は、この一覧メニューから、リモコン機能が選択されたか否か判別する（ステップＳ２）。このステップＳ２で、リモコン機能は選択されてはいないと判別したときには、制御部１０１は、その他の処理を実行し（ステップＳ３）、その実行を終了した後、処理をステップＳ１に戻す。
【００９１】
ステップＳ２で、リモコン機能が選択されたと判別したときには、制御部１０１は、メモリ１０７のプログラム記憶部１０７１から、リモコン機能を実施するためのプログラムを読み出して起動し、リモコン機能の一覧メニューを、ディスプレイ１１３の表示画面に表示する（ステップＳ４）。そして、制御部１０１は、その一覧メニューのうちの「記録予約設定」が選択されたか否か判別し（ステップＳ５）、「記録予約設定」が選択されたと判別したときには、当該「記録予約設定」の処理ルーチンを実行する（ステップＳ６）。この「記録予約設定」の処理ルーチンについては、後で詳述する。制御部１０１は、このステップＳ６の「記録予約設定」の処理ルーチンが終了すると、処理をステップＳ４に戻す。
【００９２】
ステップＳ５で、「記録予約設定」が選択されてはいないと判別したときには、制御部１０１は、一覧メニューのうちの「視聴予約設定」が選択されたか否か判別し（ステップＳ７）、「視聴予約設定」が選択されたと判別したときには、当該「視聴予約設定」の処理ルーチンを実行する（ステップＳ８）。この「視聴予約設定」の処理ルーチンについては、後で詳述する。制御部１０１は、このステップＳ８の「視聴予約設定」の処理ルーチンが終了すると、処理をステップＳ４に戻す。
【００９３】
ステップＳ７で、「視聴予約設定」が選択されてはいないと判別したときには、制御部１０１は、一覧メニューのうちの「予約記録番組再生」が選択されたか否か判別し（ステップＳ９）、「予約記録番組再生」が選択されたと判別したときには、当該「予約記録番組再生」の処理ルーチンを実行する（ステップＳ１０）。この「予約記録番組再生」の処理ルーチンについては、後で詳述する。制御部１０１は、このステップＳ１０の「予約記録番組再生」の処理ルーチンが終了すると、処理をステップＳ４に戻す。
【００９４】
ステップＳ９で、「予約記録番組再生」が選択されてはいないと判別したときには、制御部１０１は、一覧メニューから、その他のリモコン機能が選択されたか否か判別し（ステップＳ１１）、その他のリモコン機能が選択されたと判別したときには、選択されたリモコン機能の処理ルーチンを実行する（ステップＳ１２）。ここで、その他のリモコン機能には、記録予約番組の消去や変更、視聴予約番組の消去や変更の処理ルーチンを含む。記録予約番組や視聴予約番組の消去や変更の処理ルーチンについては後述する。制御部１０１は、このステップＳ１２で、選択されたリモコン機能についての処理ルーチンが終了すると、処理をステップＳ４に戻す。
【００９５】
そして、ステップＳ１１で、一覧メニューで、その他のリモコン機能が選択されてはいないと判別したときには、制御部１０１は、ディスプレイ１１３の表示画面の「戻る」アイコンボタンが操作されたか否か判別し（ステップＳ１３）、操作されてはいないと判別したときには、処理をステップＳ４に戻す。
【００９６】
また、ステップＳ１３で、「戻る」アイコンボタンが操作されたと判別したときには、制御部１０１は、リモコン機能を実施するためのプログラムを停止して、処理をステップＳ１に戻す。
【００９７】
［記録予約設定］
図５のステップＳ６の記録予約設定の処理ルーチンについて、図６の機能ブロック図及び図７〜図９の処理動作の流れの一例のフローチャートを参照しながら説明する。この実施形態の携帯電話端末１におけるリモコン機能を用いた記録予約設定は、記録予約番組の受付処理と、リモコン信号の送出による対象装置への記録予約設定の実行処理とに分けられており、当該２つの処理のそれぞれは、この実施形態では、リモコン機能の一覧メニューから選択可能とされている。
【００９８】
図７は、記録予約番組の選択の受付処理の流れの一例のフローチャートである。すなわち、制御部１０１は、リモコン機能の一覧メニューから記録予約番組の選択受付処理が選択されたことを判別すると、図７の処理ルーチンを開始し、記録予約する番組の放送メディアの選択を促す画面をディスプレイ１１３の表示画面に表示する（ステップＳ２１）。そして、制御部１０１は、使用者によるこのディスプレイ１１３の表示画面を通じた放送メディアの選択入力を待つ（ステップＳ２２）。
【００９９】
このステップＳ２２で、使用者による放送メディアの選択入力を受け付けたと判別したときには、制御部１０１は、選択された放送メディアのＥＰＧ画面を、ディスプレイ１１３の表示画面に表示する（ステップＳ２３）。図６の例では、ＣＡＴＶ放送が選択されたことに基づいて、当該ＣＡＴＶ放送用のＥＰＧが、ディスプレイ１１３の表示画面に表示されている。
【０１００】
次に、制御部１０１は、この表示画面に表示されているＥＰＧからの、使用者による記録予約番組の選択指定を待ち（ステップＳ２４）、記録予約番組の選択指定を受け付けたと判別したときには、その繰り返し設定に関する選択及び入力、すなわち、その日だけの記録予約か、毎日の同じ日時の記録予約か、毎週の同じ曜日及び同じ日時の記録予約か、毎日予約や毎週予約の場合の期間についての入力を促す表示をする（ステップＳ２５）。そして、制御部１０１は、使用者による、繰り返し設定に関する選択及び入力を待つ（ステップＳ２６）。
【０１０１】
このステップＳ２６で、繰り返し設定に関する選択及び入力を受け付けたと判別したときには、制御部１０１は、ステップＳ２４で選択された記録予約番組の情報及び繰り返し設定の情報を記録予約情報記憶部１０７３に記憶する（ステップＳ２７）。そして、制御部１０１は、使用者の選択終了操作を監視して、使用者による希望する１〜複数個の記録予約番組の選択が終了したか否か判別する（ステップＳ２８）。
【０１０２】
このステップＳ２８で、記録予約番組の選択が終了していないと判別したときには、制御部１０１は、処理をステップＳ２１に戻し、このステップＳ２１からの処理を繰り返す。ステップＳ２８で、記録予約番組の選択が終了したと判別したときには、制御部１０１は、記録予約設定を続いて実行するか否かを使用者に問い合わせるメッセージを表示し、使用者からの記録予約設定を続いて実行するという指示がなされたか否か判別する（ステップＳ２９）。
【０１０３】
そして、ステップＳ２９で、記録予約設定を続いて実行するという指示ではなく、記録予約番組の選択受付処理を終了する指示を受けたと判別したときには、制御部１０１は、この記録予約番組の選択受付処理を終了する。また、ステップＳ２９で、続いて記録予約設定を実行すると判別したときには、制御部１０１は、記録予約処理ルーチンを実行する（ステップＳ３０）。
【０１０４】
図８及び図９は、この記録予約処理ルーチンの流れの一例を示すフローチャートである。すなわち、制御部１０１は、先ず、記録予約情報記憶部１０７３に記憶されている記録予約番組の情報のうち、予約設定状況情報が未了となっているものの一つを読み出す（ステップＳ４１）。そして、読み出した記録予約番組の放送メディアの情報から、リモコン制御対象機器を判断する（ステップＳ４２）。すなわち、このステップＳ４２では、放送メディアがデジタル放送であるときには、リモコン制御対象機器は、記録再生装置１１のみと判断し、放送メディアがその他のＢＳ放送、ＣＳ放送、ＣＡＴＶ放送であるときには、リモコン制御対象機器は、それぞれの放送を受信するチューナ１３，１４，１５と、記録再生装置１１であると判断する。
【０１０５】
そして、制御部１０１は、このステップＳ４２で判断されたリモコン制御対象機器は、記録再生装置１１のみであったか否か判別する（ステップＳ４３）。ステップＳ４３で、リモコン制御対象機器は、記録再生装置１１のみであったと判別されたときには、図６に示すように、制御部１０１の制御に基づき、送信リモコン信号生成部１０８は、記録予約情報記憶部１０７３の当該記録予約番組の情報に基づいて、各種リモコンコード記憶部１０７２の記録再生装置用リモコンコードを用いて、記録再生装置１１に供給するリモコン信号を生成し、そのリモコン信号を記録再生装置１１に送出する（ステップＳ４４）。
【０１０６】
また、ステップＳ４３で、リモコン制御対象機器は、記録再生装置１１のみではないと判別されたときには、図６において、制御部１０１の制御に基づき、送信リモコン信号生成部１０８は、先ず、予約指定されている放送メディア用のチューナに供給するリモコン信号を、記録予約情報記憶部１０７３の当該記録予約番組の情報に基づいて、各種リモコンコード記憶部１０７２の対応するチューナ用のリモコンコードを用いて生成し、生成したリモコン信号を、当該チューナに送出する（ステップＳ４５）。
【０１０７】
次に、制御部１０１の制御に基づき、送信リモコン信号生成部１０８は、記録予約情報記憶部１０７３の当該記録予約番組の情報に基づいて、各種リモコンコード記憶部１０７２の記録再生装置用リモコンコードを用いると共に、機器接続関係記憶部１０７６の接続関係情報を用いて、記録再生装置１１に供給するリモコン信号を生成し、そのリモコン信号を記録再生装置１１に送出する（ステップＳ４６）。このステップＳ２６で生成される記録再生装置１１に供給するリモコン信号には、予約指定されている放送メディア用のチューナの出力端子が接続されているライン入力端子を予約時間に選択するようにする制御信号を含む。
【０１０８】
そして、ステップＳ４４またはステップＳ４６の次には、制御部１０１は、リモコン信号生成部１０８に指示して、予約設定のリモコン信号が送信された記録再生装置１１及びチューナを、予約確認モードにするリモコン信号を送出させるように制御する（ステップＳ４７）。そして、制御部１０１は、予約設定のリモコン信号が送信された記録再生装置１１及びチューナから確認ＯＫまたはＮＧのいずれを受信したか判別する（ステップＳ４８）。
【０１０９】
このステップＳ４８で、記録再生装置１１及びチューナから確認ＯＫを受信したと判別したときには、制御部１０１は、リモコン信号生成部１０８に指示して、記録再生装置１１及びチューナに対して、確認ＯＫのリモコン信号と、予約スタンバイモードにするリモコン信号を送出させるように制御する（図９のステップＳ５５）。
【０１１０】
次に、制御部１０１は、記録予約情報記憶部１０７３において、上記のようにして記録予約設定が終了した記録予約番組についての予約設定状況情報を「未了」から「済」に変更する（ステップＳ５６）。そして、制御部１０１は、記録予約情報記憶部１０７３において、予約設定状況情報が「未了」である記録予約番組がなくなったか否かにより、記録予約設定が全て済となったか否か判別する（ステップＳ５７）。
【０１１１】
このステップＳ５７で、記録予約設定が全て済となってはいないと判別したときには、制御部１０１は、処理を図８のステップＳ４１に戻し、予約設定状況情報が「未了」である記録予約番組の情報を記録予約情報記憶部１０７３から読み出して、上述したステップＳ４１以降の処理を繰り返す。ステップＳ５７で、記録予約設定が全て済となっていると判別したときには、制御部１０１は、この処理ルーチンを終了する。
【０１１２】
また、ステップＳ４８で、記録再生装置１１またはチューナから確認ＮＧを受信したと判別したときには、制御部１０１は、リモコン信号生成部１０８に指示して、記録再生装置１１及びチューナに対して、予約取り消しモードにするリモコン信号を送出させるように制御する（図９のステップＳ５１）。
【０１１３】
次に、制御部１０１は、リモコン信号生成部１０８に指示して、記録再生装置１１及びチューナに対して、予約取り消しのリモコン信号を送出させるように制御する（ステップＳ５２）。
【０１１４】
次に、制御部１０１は、リモコン信号生成部１０８に指示して、記録再生装置１１及びチューナに対して、予約確認モードにするリモコン信号を送出させるように制御する（ステップＳ５３）。そして、制御部１０１は、予約設定のリモコン信号が送信された記録再生装置１１及びチューナから、予約の取り消しの確認ＯＫまたはＮＧのいずれを受信したか判別する（ステップＳ５４）。
【０１１５】
このステップＳ５４で、記録再生装置１１及びチューナから確認ＯＫを受信したと判別したときには、制御部１０１は、ステップＳ５５に進んで、前述したステップＳ５５以降の処理を実行する。また、ステップＳ５４で、記録再生装置１１及びチューナから確認ＮＧを受信したと判別したときには、制御部１０１は、処理をステップＳ５１に戻し、ステップＳ５１〜５３の予約取り消しを再試行するように制御する。
【０１１６】
［視聴予約設定］
実施形態の携帯電話端末では前述したように視聴予約設定の機能を備えているが、この視聴予約設定は、上述した記録予約設定の場合とほぼ同様に、予約番組の選択及びリモコン信号による必要な対象装置への予約設定が可能である。ただし、この実施形態では、上述のようにして記録予約設定がなされて記録予約情報記憶部１０７３に記憶されている記録予約番組も、視聴予約対象の一つのメディアとされる。この場合に、その時点で、記録予約された番組の記録が終了して、記録再生装置１１のハードディスクに記録されている番組が、視聴予約対象番組とされる。その時点で、記録予約された番組の記録が終了してか否かは、制御部１０１は、時計回路部１１０からの現在の日時情報が、記録予約情報記憶部１０７３の予約日時を経過しているか否かにより判断する。
【０１１７】
そして、視聴予約番組のメディアとして、記録予約番組が使用者により選択されたときには、使用者に、その記録予約番組を再生させて視聴を行う時間の設定も行わせるようにしている。
【０１１８】
なお、視聴予約対象とする記録再生装置１１に記録されている番組としては、記録予約番組のみではなく、携帯電話端末１のリモコン機能により記録が記録再生装置１１で実行された番組を含めるようにしてもよい。その場合には、携帯電話端末１のリモコン機能により記録が記録再生装置１１で実行された番組の情報の記憶部が、携帯電話端末１に設けられる。
【０１１９】
図１０及び図１１は、この実施形態における視聴予約番組の選択の受付処理の流れの一例のフローチャートである。すなわち、制御部１０１は、リモコン機能の一覧メニューから視聴予約番組の選択受付処理が選択されたことを判別すると、図１０の処理ルーチンを開始し、視聴予約可能な番組の提供元の一覧をディスプレイ１１３の表示画面に表示する（ステップＳ６１）。ここで、視聴予約可能な番組の提供元としては、各種の放送メディアと記録予約番組を記録している記録再生装置とが表示される。そして、制御部１０１は、使用者によるこのディスプレイ１１３の表示画面を通じて視聴予約可能な番組の提供元の選択入力を待つ（ステップＳ６２）。
【０１２０】
このステップＳ６２で、視聴予約可能な番組の提供元の選択入力を受け付けたと判別したときには、制御部１０１は、選択された提供元は、記録再生装置１１に記録された予約記録番組か否か判別する（ステップＳ６３）。
【０１２１】
このステップＳ６３で、選択された提供元は、記録再生装置１１に記録された予約記録番組ではなく、放送メディアであると判別したときには、制御部１０１は、選択された放送メディアのＥＰＧ画面を、ディスプレイ１１３の表示画面に表示する（ステップＳ６４）。
【０１２２】
次に、制御部１０１は、この表示画面に表示されているＥＰＧからの、使用者による視聴予約番組の選択指定を待ち（ステップＳ６５）、視聴予約番組の選択指定を受け付けたと判別したときには、その繰り返し設定に関する選択及び入力、すなわち、その日だけの記録予約か、毎日の同じ日時の記録予約か、毎週の同じ曜日及び同じ日時の記録予約か、毎日予約や毎週予約の場合の期間についての入力を促す表示をする（ステップＳ６６）。そして、制御部１０１は、使用者による、繰り返し設定に関する選択及び入力を待つ（ステップＳ６７）。
【０１２３】
このステップＳ６７で、繰り返し設定に関する選択及び入力を受け付けたと判別したときには、制御部１０１は、ステップＳ６５で選択された視聴予約番組の情報及び繰り返し設定の情報を視聴予約情報記憶部１０７４に記憶する（ステップＳ６８）。そして、制御部１０１は、使用者の選択終了操作を監視して、使用者による希望する１〜複数個の視聴予約番組の選択が終了したか否か判別する（図１１のステップＳ７６）。
【０１２４】
このステップＳ７６で、視聴予約番組の選択が終了していないと判別したときには、制御部１０１は、処理をステップＳ６１に戻し、このステップＳ６１からの処理を繰り返す。ステップＳ７６で、視聴予約番組の選択が終了したと判別したときには、制御部１０１は、視聴予約設定を続いて実行するか否かを使用者に問い合わせるメッセージを表示し、使用者からの視聴予約設定を続いて実行するという指示がなされたか否か判別する（ステップＳ７７）。
【０１２５】
そして、ステップＳ７７で、視聴予約番組の選択受付処理を終了する指示を判別したときには、制御部１０１は、この視聴予約番組の選択受付処理を終了する。また、ステップＳ７７で、続いて視聴予約設定を実行すると判別したときには、制御部１０１は、視聴予約処理ルーチンを実行する（ステップＳ７８）。
【０１２６】
また、ステップＳ６３で、選択された提供元は、記録再生装置１１に記録された予約記録番組であると判別したときには、制御部１０１は、携帯電話端末１のディスプレイ１１３の表示画面には、放送メディアの場合のＥＰＧに代えて、記録予約情報記憶部１０７３に記憶されている記録予約番組のうち、予約時間が過ぎていて、記録再生装置１１のハードディスクに記録されている番組を一覧表示する（図１１のステップＳ７１）。このとき表示される、記録再生装置１１のハードディスクに記録されている番組の一覧表示には、ＥＰＧから取得された番組タイトルなどの情報が含まれており、番組選択のための補助情報とされる。
【０１２７】
次に、制御部１０１は、この表示画面に表示されている番組一覧からの、使用者による視聴予約番組の選択指定を待ち（ステップＳ７２）、視聴予約番組の選択指定を受け付けたと判別したときには、視聴を実行する予定日時（視聴予約日時）の設定入力を促すメッセージをディスプレイ１１３の表示画面に表示する（ステップＳ７３）。そして、制御部１０１は、その視聴予約日時の設定入力の受け付けを待つ（ステップＳ７４）。
【０１２８】
ステップＳ７４で、視聴予約日時の設定入力の受け付けたと判別したときには、予約された番組の情報を、視聴予約情報記憶部１０７４に記憶する（ステップＳ７５）。このときの予約された番組の情報には、記録再生装置１１において、番組の特定することができる情報、すなわち、記録された予約日時、番組の放送メディア（またはライン入力端子）などが含められている。
【０１２９】
次に、ステップＳ７５の次には、ステップＳ７６に進み、前述したステップＳ７６以降の処理を実行する。
【０１３０】
なお、ステップＳ７８で実行される視聴予約設定処理の処理ルーチンは、図８及び図９に示した記録予約設定処理の処理ルーチンを同様となるので、ここでは、その詳細については省略する。ただし、視聴予約番組毎のリモコン信号の送出対象機器は、視聴用機器としてのＴＶ１２と、記録再生装置１１、チューナ１３，１４，１５のいずれかとの組み合わせである。
【０１３１】
［予約記録番組再生］
図５のステップＳ１０の予約記録番組再生の処理ルーチンについて、図１２及び図１３に示すフローチャートを参照しながら説明する。
【０１３２】
制御部１０１は、リモコン機能の一覧メニューから予約記録番組再生の処理が選択されたことを判別すると、図１２及び図１３に示す処理ルーチンを開始し、再生対象となる記録予約番組の一覧及び番組選択を促す画面をディスプレイ１１３の表示画面に表示する（ステップＳ８１）。ここで、再生対象となる記録予約番組は、視聴予約設定の場合と同様に、その時点で、記録予約された番組の記録が終了して、記録再生装置１１のハードディスクに記録されている記録予約番組（以下、記録完了番組という）である。
【０１３３】
次に、制御部１０１は、この表示画面に表示されている記録完了番組の一覧からの、使用者の再生希望番組の使用者の選択指定を待ち（ステップＳ８２）、再生希望番組の選択指定を受け付けたと判別したときには、当該選択指定された再生希望番組の情報を、記録予約情報記憶部１０７３から再生番組バッファにコピーする（ステップＳ８３）。なお、再生番組バッファは、メモリ１０７の一部記憶エリアを用いることができる。
【０１３４】
次に、制御部１０１は、再生希望番組の選択の終了指示を受け付けたか否か判別し（ステップＳ８４）、再生希望番組の選択の終了指示を受け付けていないときには、処理をステップＳ８１に戻し、更なる再生希望番組の選択指示を受け付ける。
【０１３５】
そして、ステップＳ８４で、再生希望番組の選択の終了指示を受け付けたと判別したときには、制御部１０１は、ＴＶ１２の外部入力端子を、記録再生装置１１の映像及び音声出力端子に接続されている端子に切り替えるリモコン信号を送出させるように制御する（ステップＳ８５）。
【０１３６】
次に、制御部１０１は、再生番組バッファに記憶されている再生希望番組のうちの、最初の記録完了番組の一つを読み出し（図１３のステップＳ９１）、その再生希望番組を特定するためのリモコン信号と、再生開始を指示するリモコン信号を生成し、生成したリモコン信号を、記録再生装置１１に送出する（ステップＳ９２）。
【０１３７】
そして、制御部１０１は、再生対象の記録完了番組の予約時間の情報から、その再生希望番組の再生時間を算出し、時計回路部１１０からの時間情報を参照して、当該再生希望番組の終了を監視する（ステップＳ９３）。
【０１３８】
このステップＳ９３で、再生中の番組の終了を検知すると、制御部１０１は、記録再生装置１１に、再生停止のリモコン信号を送出すると共に、再生番組バッファから、再生が終了した記録完了番組の情報を削除する（ステップＳ９４）。
【０１３９】
次に、制御部１０１は、再生番組バッファに再生希望番組の情報が存在するか否かにより、再生希望番組の全ての再生が終了したか否か判別する（ステップＳ９５）。そして、このステップＳ９５で、再生番組バッファに再生希望番組の情報が未だ存在すると判別したときには、制御部１０１は、処理をステップＳ９１に戻し、このステップＳ９１以降の処理を繰り返す。ステップＳ９５で、選択された再生希望番組の全ての再生が終了したと判別したときには、この再生処理ルーチンを終了する。
【０１４０】
なお、携帯電話端末１のリモコン機能部は、この記録完了番組の予約再生中においては、記録予約情報記憶部１０７３および視聴予約情報記憶部１０７４の記憶情報のうちの時間情報を監視している。
【０１４１】
そして、再生中に、記録予約情報記憶部１０７３に記憶されている記録予約番組の予約記録が開始される時刻の直前になると、携帯電話端末１は、記録再生装置１１に対して、再生を一旦中断するリモコン信号（再生停止のリモコン信号）を供給する。このとき、記録再生装置１１では、予約記録が開始される時刻において、記録予約番組の予約設定に応じて、予約記録を実行する。
【０１４２】
そして、記録予約情報記憶部１０７３に記憶されている記録予約番組の予約記録が終了する時刻になると、記録再生装置１１は、予約記録を終了して、スタンバイモード（通常モード）になる。携帯電話端末１は、記録予約番組の予約記録が終了する時刻の後、記録再生装置１１に対して、一旦中断した番組の再生を再開させるリモコン信号（当該番組の再生開始のリモコン信号）を供給する。これにより、予約した記録完了番組の再生が継続して可能となる。
【０１４３】
また、同様に、再生中に、視聴予約情報記憶部１０７４に記憶されている視聴予約番組の予約視聴が開始される時刻になると、記録再生装置１１に対して、再生を一旦中断するリモコン信号（再生停止のリモコン信号）を供給する。このとき、ＴＶ１２および視聴予約設定されているチューナ１３，１４，１５のいずれかにより、予約視聴が開始される時刻において、視聴予約番組の予約設定に応じて、予約視聴が実行される。
【０１４４】
そして、視聴予約情報記憶部１０７４に記憶されている視聴予約番組の予約視聴が終了する時刻の後、携帯電話端末１は、記録再生装置１１に対して、一旦中断した番組の再生を再開させるリモコン信号（当該番組の再生開始のリモコン信号）を供給する。これにより、予約した記録完了番組の再生が継続して可能となる。
【０１４５】
［予約情報の変更／消去］
図５のステップＳ１２で実行される、その他のリモコン機能処理のうち、記録予約番組の選択情報または視聴予約番組の選択情報の変更または消去の処理について、図１４のフローチャートを参照して説明する。
【０１４６】
制御部１０１は、リモコン機能の一覧メニューから予約情報の変更／消去の処理が選択されたことを判別すると、図１４の処理ルーチンを開始し、記録予約番組の変更／消去か否か判別し（ステップＳ１０１）、記録予約番組の変更／消去であると判別したときには、記録予約情報記憶部１０７３の記憶情報のうち、予約記録が未実行の記録予約番組の一覧を表示すると共に、変更／消去する番組の選択及び変更または消去のいずれかの選択を促す画面をディスプレイ１１３の表示画面に表示する（ステップＳ１０２）。
【０１４７】
次に、制御部１０１は、使用者による番組の選択を待ち（ステップＳ１０３）、番組の選択を受け付けたと判別したときには、変更または消去のいずれかの指示を待つ（ステップＳ１０４）。
【０１４８】
そして、制御部１０１は、このステップＳ１０４で、消去指示がなされたと判別したときには、指定された記録予約番組の情報を、記録予約情報記憶部１０７３から消去すると共に、当該番組についての記録予約設定を行った、記録再生装置１１とチューナ１３，１４，１５のいずれかに対して、当該記録予約番組についての予約設定を消去するためのリモコン信号を生成して送出する（ステップＳ１０５）。なお、ここでは省略するが、このステップＳ１０５の際にも、記録予約設定の場合と同様に、携帯電話端末１は、記録再生装置１１との間で、記録予約番組の消去についての確認処理を行うものである。
【０１４９】
また、ステップＳ１０４で、変更指示がなされたと判別したときには、制御部１０１は、記録予約情報記憶部１０７３における、指定された記録予約番組の情報を指示通りに変更すると共に、当該番組についての記録予約設定を行った、記録再生装置１１とチューナ１３，１４，１５のいずれかに対して、当該記録予約番組の変更についてのリモコン信号を生成して送出する（ステップＳ１０６）。なお、ここでは省略するが、このステップＳ１０６の際にも、記録予約設定の場合と同様に、携帯電話端末１は、記録再生装置１１との間で、記録予約番組の情報の変更についての確認処理を行うものである。
【０１５０】
そして、制御部１０１は、ステップＳ１０５あるいはステップＳ１０６の次には、予約情報の変更／消去の終了指示があったか否か判別し、終了指示がないと判別したときには、処理をステップＳ１０２に戻し、このステップＳ１０２以降の処理を繰り返す。
【０１５１】
また、ステップＳ１０１で、記録予約番組の変更／消去ではなく、視聴予約番組の変更／消去であると判別したときには、制御部１０１は、ステップＳ１１２〜ステップＳ１１７に示すように、記録予約番組についてのステップＳ１０２〜ステップＳ１０７と全く同様の処理を実行する。
【０１５２】
そして、ステップＳ１０７またはステップＳ１１７で、終了指示がなされたと判別したときには、制御部１０１は、この処理ルーチンを終了する。
【０１５３】
［第１の実施形態の効果］
以上説明したようにして、上述の第１の実施形態によれば、記録再生装置と当該記録再生装置に接続される外部機器としてのチューナ１３，１４，１５とを用いて記録可能となる番組についての記録予約設定は、携帯電話端末１のリモコン機能により、使用者が番組を選択し、記録予約設定の指示をするだけで、簡単に行える。つまり、従来のように専用リモコンのそれぞれを用いて設定を行ったり、マルチリモコンで各機器を切り替えながら設定を行ったりする必要はないので、リモコン操作による予約設定が苦手な使用者であっても、簡単に記録予約設定を行うことができる。
【０１５４】
ＴＶ１２などの視聴用装置と当該視聴用装置に接続される外部機器としての、記録再生装置１１、チューナ１３，１４，１５とを用いて視聴可能となる番組についての視聴予約設定に関しても、記録予約設定の場合と全く同様に、簡単な操作で可能となる。
【０１５５】
そして、上述の実施形態によれば、リモコン機能を備える携帯電話端末１の表示画面に、予約設定した記録予約番組の一覧または視聴予約番組の一覧を表示するので、この一覧表示を見るだけで、予約設定した記録予約番組または視聴予約番組を確認することができる。しかも、この一覧においては、記録予約番組または視聴予約番組のタイトル情報など、ＥＰＧから取得された情報を表示することができるため、予約した番組を把握することが容易となる。
【０１５６】
そして、この実施形態では、予約が実行された後の時点においては、記録予約番組の一覧または視聴予約番組の一覧を、記録再生装置で再生可能な番組の一覧として用いて、当該一覧を通じて番組の再生を指示することができ、便利である。その場合も、再生番組を選択する際には、一覧に含まれる記録予約番組または視聴予約番組のタイトル情報など参照して、番組を把握することができ、便利である。
【０１５７】
しかも、上述の第１の実施形態では、使用者は、携帯電話端末１の表示画面から、記録再生装置１１で記録されている番組を選択するだけで、リモコン機能により、ＴＶ１２が記録再生装置１１からの信号を受ける状態に切り替えられるので便利である。
【０１５８】
また、上述の第１の実施形態においては、携帯電話端末１の記録予約情報記憶部１０７３及び視聴予約情報記録部１０７４に記憶されている記録予約番組及び視聴予約番組につて、変更や消去（削除）が可能であり、その変更や消去が、対象機器に対してリモコン信号により反映される。したがって、使用者は、記録再生装置１１、ＴＶ１２、チューナ１３〜１５のそれぞれの予約番組情報について、変更や消去の操作を行う必要がなく、操作が簡単である。
【０１５９】
［第２の実施形態］
上述した第１の実施形態では、記録再生装置１１は記録予約機能及び再生予約機能を有すると共に、ＴＶ１２，チューナ１３〜１５のそれぞれは、視聴予約機能（番組予約機能）を有するものであった。これに対して、この第２の実施形態は、記録再生装置１１が記録予約機能及び再生予約機能を有せず、また、ＴＶ１２，チューナ１３〜１５のそれぞれは、視聴予約機能（番組予約機能）を有しない状況を想定した場合のリモコン装置の実施形態である。
【０１６０】
すなわち、この第２の実施形態のリモコン装置では、記録予約された番組の記録の実行または視聴予約された番組の実行を、リモコン装置自身が実行するようにする。その他は、第１の実施形態と全く同様である。
【０１６１】
この第２の実施形態のリモコン装置を、第１の実施形態と同様に、携帯電話端末１に適用した場合について、以下に説明する。
【０１６２】
なお、この第２の実施形態のリモコン装置が適用された携帯電話端末１は、予約日時には、リモコン制御対象機器に対してリモコン信号を送出する必要があるため、予約日時には、携帯して外出することができない。このため、好ましくは、この第２の実施形態は、常に携帯して持ち歩く電子機器ではない方がよく、例えばリモコン機能を備えるタブレットＰＣ２などに適用することが好ましい。しかし、この明細書では、説明の都合上、携帯電話端末１に適用した場合として、以下説明する。
【０１６３】
この第２の実施形態における携帯電話端末１も、ハードウエア構成は、図２に示したものと全く同様の構成となる。ただし、メモリ１０７のプログラム記憶部１０７１に記憶されるリモコン機能用のプログラムが、上述の第１の実施形態の場合とは、一部が異なる。
【０１６４】
すなわち、この第２の実施形態では、図７の記録予約番組の受付の処理ルーチンにおけるステップＳ３０は、記録予約設定処理の実行ではなく、予約記録のリモコン処理の実行とされる。そして、図８及び図９に示した記録予約設定処理のプログラムは備えず、その代わりに、予約記録のリモコン処理の実行を行うためのプログラムが、メモリ１０７のプログラム記憶部１０７１に記憶される。
【０１６５】
また、同様に、図１０及び図１１の視聴予約番組の受付の処理ルーチンにおけるステップＳ７８は、視聴予約設定処理の実行ではなく、予約視聴のリモコン処理の実行とされる。そして、視聴予約設定処理のプログラムは備えず、その代わりに、予約視聴のリモコン処理の実行を行うためのプログラムが、メモリ１０７のプログラム記憶部１０７１に記憶される。
【０１６６】
また、この第２の実施形態では、記録予約情報記憶部１０７３及び視聴予約情報記憶部１０７４の各予約番組についての予約設定状況情報の代わりに、予約記録実行状況情報が記憶される。この予約記録実行状況情報は、予約記録が実行されていないときには、「未了」が書き込まれ、予約記録が実行されたときには、「記録完了」が書き込まれる。
【０１６７】
更に、この第２の実施形態では、時計回路部１１０からの現在時刻情報を監視しながら、予約記録を実行するためのタイマー機能が設けられる。このタイマー機能は、制御部１０１が、プログラム記憶部１０７１に格納されるプログラムを実行することで実現することができる。
【０１６８】
そして、この第２の実施形態では、記録予約番組の受付の処理ルーチンにおけるステップＳ３０以外の処理は、第１の実施形態と同様である。また、視聴予約番組の受付の処理ルーチンにおけるステップＳ７８以外の処理は、第１の実施形態と同様である。更に、記録再生装置１１に記録された番組の再生の処理、予約番組についての変更／消去の処理についても、第１の実施形態と同様とされる。
【０１６９】
次に、この第２の実施形態における予約記録のリモコン処理の一例を、図１５及び図１６のフローチャートを参照しながら説明する。この図１５及び図１６の各ステップの処理は、携帯電話端末１の制御部１０１が、メモリ１０７のプログラム記憶部１０７１に格納されている第２の実施形態のリモコン機能用のプログラムを実行することにより実行されるものである。なお、この予約記録のリモコン処理においては、記録再生装置１１及びチューナ１３，１４，１５のそれぞれの電源はオフとされている状態から制御されるものとする。
【０１７０】
制御部１０１は、先ず、記録予約情報記憶部１０７３に記憶されている記録予約番組の情報のうち、予約記録実行状況情報が未了となっているものの一つを読み出す（ステップＳ２０１）。そして、制御部１０１は、読み出した記録予約番組の予約時間（記録開始時刻（番組放送開始時刻））をタイマーにセットして、タイマー時間の監視を開始する（ステップＳ２０２）。
【０１７１】
そして、制御部１０１は、記録開始時刻になったか否かを監視して（ステップＳ２０３）、記録開始時刻になったことを検知したときには、記録予約番組の放送メディアは、記録再生装置１１で受信可能なものであるか否か判別する（ステップＳ２０４）。
【０１７２】
ステップＳ２０４で、記録予約番組の放送メディアは、記録再生装置１１で受信可能なものであると判別したときには、制御部１０１は、記録予約番組の情報に基づいて、各種リモコンコード記憶部１０７２の記録再生装置用リモコンコードを用いて、電源をオンとさせるリモコン信号と、予約された番組を受信してその選局状態を保持させるリモコン信号と、記録を開始させるリモコン信号とを生成し、記録再生装置１１に対して送出する（ステップＳ２０５）。
【０１７３】
次に、制御部１０１は、記録予約番組の記録終了時刻（番組放送終了時刻）をタイマーにセットして記録終了時刻になったか否かを監視し（ステップＳ２０３）、記録終了時刻になったことを検知したときには、予約された番組の選局状態の保持を解除するリモコン信号と、記録を停止させるリモコン信号とを生成して、記録再生装置１１に対して送出する（ステップＳ２０７）。
【０１７４】
そして、制御部１０１は、記録予約情報記憶部１０７３において、記録を実行した記録予約番組の予約記録実行状況情報を、「未了」から「記録完了」に変更する（ステップＳ２０８）。そして、制御部１０１は、記録予約情報記憶部１０７３において、予約記録実行状況情報が「未了」である記録予約番組がなくなったか否かにより、記録予約番組の全ての予約記録が済となったか否か判別する（ステップＳ２０９）。
【０１７５】
このステップＳ２０９で、記録予約設定が全て済となってはいないと判別したときには、制御部１０１は、処理をステップＳ２０１に戻し、予約記録実行状況情報が「未了」である記録予約番組の情報を記録予約情報記憶部１０７３から読み出して、上述したステップＳ２０１以降の処理を繰り返す。ステップＳ２０９で、予約記録が全て完了となっていると判別したときには、制御部１０１は、この処理ルーチンを終了する。
【０１７６】
また、ステップＳ２０４で、記録予約番組の放送メディアは、記録再生装置１１で受信可能なものではないと判別したときには、制御部１０１は、記録予約番組の情報に基づいて、リモコンコード記憶部１０７２に記憶されている、予約設定されている放送メディアを受信する受信機（チューナ１３，１４，１５のいずれか）用のリモコンコードを用いて、電源をオンとさせるリモコン信号と、予約された番組を受信してその選局状態を保持させるリモコン信号とを生成し、その受信機に対して送出する（図１６のステップＳ２１１）。
【０１７７】
次に、制御部１０１は、リモコンコード記憶部１０７２に記憶されている記録再生装置用のリモコンコードを用いて、電源をオンとさせるリモコン信号と、予約設定されている放送メディア用の受信機が接続されているライン入力端子を選択制御するリモコン信号と、記録を開始させるリモコン信号を生成して、送出する（ステップＳ２１２）。
【０１７８】
次に、制御部１０１は、記録予約番組の記録終了時刻（番組放送終了時刻）をタイマーにセットして記録終了時刻になったか否かを監視し（ステップＳ２１３）、記録終了時刻になったことを検知したときには、電源をオフとさせるリモコン信号と、記録を停止させるリモコン信号を生成して、記録再生装置１１に対して送出する（ステップＳ２１４）。また、制御部１０１は、予約された番組の選局状態の保持を解除するリモコン信号と、電源をオフとさせるリモコン信号とを生成して、予約設定されている放送メディア用の受信機に対して送出する（ステップＳ２１５）。
【０１７９】
そして、制御部１０１は、記録予約情報記憶部１０７３において、記録を実行した記録予約番組の予約記録実行状況情報を、「未了」から「記録完了」に変更する（ステップＳ２１６）。そして、制御部１０１は、記録予約情報記憶部１０７３において、予約記録実行状況情報が「未了」である記録予約番組がなくなったか否かにより、記録予約番組の全ての予約記録が済となったか否か判別する（ステップＳ２１７）。
【０１８０】
このステップＳ２１７で、記録予約設定が全て済となってはいないと判別したときには、制御部１０１は、処理をステップＳ２０１に戻し、予約記録実行状況情報が「未了」である記録予約番組の情報を記録予約情報記憶部１０７３から読み出して、上述したステップＳ２０１以降の処理を繰り返す。ステップＳ２１７で、予約記録が全て完了となっていると判別したときには、制御部１０１は、この処理ルーチンを終了する。
【０１８１】
視聴予約情報記憶部１０７４に記憶された視聴予約番組の予約視聴のリモコン処理も、上述した予約記録のリモコン処理と同様になされる。
【０１８２】
［第２の実施形態の効果］
上述した第２の実施形態によれば、前述した第１の実施形態と同様の効果を得られる上に、記録再生装置や、ＴＶ１２，チューナ１３，１４，１５が記録予約機能や視聴予約機能を備えていない場合において、あたかも、それらの機能を備えているのと全く同様に記録予約機能や視聴予約機能を実施することができる。
【０１８３】
この場合に、上述の説明では省略したが、記録予約番組や視聴予約番組についての繰り返し設定についても、携帯電話端末１のリモコン機能部が、その繰り返し設定に応じたリモコン制御をすることで、それらの機能を実現することができる。
【０１８４】
［その他の実施形態またはその他の変形例］
上述の実施形態では、ある１部屋に設置されているＡＶセットなどを構成する各電子機器のリモコンコードおよびその接続関係を、携帯電話端末１のメモリ１０８に登録して、リモコン機能を利用する場合について説明した。しかし、複数の部屋に設置されているＡＶセットのそれぞれを構成する各電子機器のリモコンコードおよびその接続関係を、各部屋の識別子に対応付けて登録しておくことにより、各部屋毎に、上述したリモコン装置の機能を実行させて、上述した作用効果を得ることができる。
【０１８５】
上述の実施形態においては、携帯電話端末１やタブレットＰＣ２で、記録予約番組や視聴予約番組の選択を受け付け、その受け付けた記録予約番組や視聴予約番組を、リモコン機能を用いて、対象機器に設定するようにした。しかし、リモコン機能を備えないパーソナルコンピュータで、記録予約番組や視聴予約番組の選択を受け付け、その受け付けた記録予約番組や視聴予約番組を、リモコン機能を備える携帯電話端末１やタブレットＰＣ２に転送し、携帯電話端末１やタブレットＰＣ２は、転送されてきた記録予約番組や視聴予約番組を、リモコン機能を用いて、対象機器に設定するようにしても良い。
【０１８６】
また、上述の実施形態では、リモコン機能による記録再生装置で記録された番組の再生モードや視聴予約設定においては、リモコン機能により予約設定した記録予約番組のみを再生対象としたが、予約記録番組だけではなく、携帯電話端末やタブレットＰＣのリモコン機能により記録再生装置１１に記録指示した番組も、その番組情報を記憶しておき、再生対象及び視聴予約対象としても良い。
【０１８７】
また、上述の第１の実施形態では、記録予約番組や視聴予約番組の記録再生装置１１、ＴＶ１２、チューナ１３〜１５に対するリモコン信号による予約設定は、選択された記録予約番組や視聴予約番組を、記録予約情報記憶部や視聴予約情報記憶部に格納した後、使用者の予約設定指示に応じて実行するようにした。しかしながら、使用者に記録予約番組や視聴予約番組がＥＰＧから選択された時点で、自動的に、各番組について、リモコン信号による予約設定動作を行うようにしても良い。第２の実施形態についても同様である。なお、第１の実施形態の場合には、それぞれの記録予約番組や視聴予約番組についてのリモコン信号による予約設定動作が完了した後に、その記録予約番組や視聴予約番組の情報が、記録予約情報記憶部や視聴予約情報記憶部に記憶される。
【０１８８】
なお、上述の実施形態では、記録再生装置１１及びＴＶ１２の外部入力端子には、外部機器のそれぞれは、接続ピンを用いて接続するようにした例であるが、ＨＤＭＩ規格に適合するケーブルで接続するようにしてもよい。その場合には、記録再生装置１１及びＴＶ１２は、外部入力端子に接続されている相手機器を自動的に認識することができるので、リモコン装置の機能部は、記録再生装置１１及びＴＶ１２に対する外部入力の切り替え指示のリモコン信号としては、ＢＳチューナ１３，ＣＳチューナ１４，ＣＡＴＶチューナ１５など、機器の種別情報を送信すればよい。そして、記憶部１０７には、機器接続関係記憶部１０７６は設ける必要はない。
【０１８９】
なお、上述の説明では、電子機器は、第１の実施形態のリモコン機能部と、第２の実施形態のリモコン機能部のいずれかを備えるものとしたが、第１の実施形態のリモコン機能部と、第２の実施形態のリモコン機能部とを切り替えて用いるように構成することもできる。
【０１９０】
なお、上述の実施形態における記録再生装置は、記録媒体は、ハードディスク（ＨＤＤ）を用いる場合としたが、ハードディスクのみに限られるわけではなく、例えばフラッシュメモリなどの半導体メモリを用いるようにしても良い。更には、ＤＶＤやブルーレイディスクなどのリムーバルな記録媒体であっても良い。更には、記録媒体はＳＤカードなどのカード型メモリであっても良い。
【０１９１】
上述の実施形態の説明では、記録予約する番組または視聴予約する番組の放送は、ＢＳ放送、地上波デジタル放送、ＣＳ放送及びＣＡＴＶ放送の場合について説明したが、ラジオ放送の場合にも、また、ネット動画、ネット音楽の放送にも、この発明は適用可能である。
【０１９２】
また、上述の実施形態の説明においては、この発明によるリモコン装置が適用される電子機器は、携帯機器としたが、携帯機器に限らず、リモコン送信機能を備えている据え置き型の電子機器であっても勿論よい。
【０１９３】
また、上述の実施形態では、リモコン信号は、赤外線の場合について説明したが、赤外線に限られるものでないことは言うまでもない。
【符号の説明】
【０１９４】
１…携帯電話端末、２…タブレットＰＣ、１０７…メモリ、１０８…リモコン信号生成部、１０９…リモコン信号送信機、１１０…時計回路部、１０７１…プログラム記憶部、１０７２…リモコンコード記憶部、１０７３…記録予約情報記憶部、１０７４…視聴予約情報記憶部
【図１】
2013138279.tif 000003
【図２】
2013138279.tif 000004
【図３】
2013138279.tif 000005
【図４】
2013138279.tif 000006
【図５】
2013138279.tif 000007
【図６】
2013138279.tif 000008
【図７】
2013138279.tif 000009
【図８】
2013138279.tif 000010
【図９】
2013138279.tif 000011
【図１０】
2013138279.tif 000012
【図１１】
2013138279.tif 000013
【図１２】
2013138279.tif 000014
【図１３】
2013138279.tif 000015
【図１４】
2013138279.tif 000016
【図１５】
2013138279.tif 000017
【図１６】
2013138279.tif 000018